(57)【要約】【課題】通信装置が通信を行っている場合に、放送受信装置による受信エラーを回避する。【解決手段】通信装置１４が送信処理を行っている場合には、適応電流制御部２２ｅは、適応電流制御を中止する。【選択図】図１
2009094695.tif 000002
【特許請求の範囲】
【請求項１】
情報の通信を行う通信手段と、
電流が供給されているときに放送波を受信する受信部、及び前記通信手段が通信を行っていない場合には、前記放送波の受信状況に応じて前記電流の供給量を制御すると共に、前記通信手段が通信を行っている場合には、前記制御を中止する電流制御部を備えた放送受信手段と、
を含む通信機器。
【請求項２】
電流が供給されているときに情報の通信を行う通信部、及び前記通信の状況に応じて前記電流の供給量を制御する制御部を備えた通信手段と、
電流が供給されているときに放送波を受信する受信部、及び前記通信手段が通信を行っていない場合には、前記放送波の受信状況に応じて前記受信部の電流の供給量を制御すると共に、前記通信手段が通信を行っている場合には、前記制御部によって制御された電流の供給量に応じて前記受信部に供給される電流の供給量を制御する電流制御部を備えた放送受信手段と、
を含む通信機器。
【発明の詳細な説明】
【技術分野】
【０００１】
本発明は、通信機器に関する。
【背景技術】
【０００２】
従来、ワンセグと呼ばれる地上デジタル放送のモバイル向け放送の放送波を受信するための放送受信装置、及び他の携帯電話との通信を行うための通信装置が搭載された携帯電話などの通信機器が知られている。この放送受信装置には、一般的にチューナが含まれており、このチューナでは、消費電力を抑えるために、放送波の受信レベルに応じて、受信レベルが高い場合には電流を抑えるように制御がされるのが一般的である。
【０００３】
また、従来、第１無線部からの送信波により第２無線部に干渉妨害が発生する場合、第１無線部の送信最終電力手段の動作電流を、送信波の高調波レベルを下げるように切り換えることによって干渉妨害を防止して、複数の無線部による送受信動作を可能にする複合無線端末が知られている（例えば、特許文献１参照）。
【特許文献１】特開２００１−２６７９５５号広報
【発明の開示】
【発明が解決しようとする課題】
【０００４】
しかしながら、上記の通信機器では、通信装置で他の通信機器と通信を行った場合には、この通信装置内のパワーアンプなどから大きな信号が出力される状況となる。このため、通信装置から発せられる電波が、放送受信装置にとって妨害波となることがある。このとき、放送受信装置のチューナに含まれるアンプが飽和してしまうことなどにより、放送波の受信エラーが発生してしまう問題がある。
【０００５】
そのため、上記の通信機器において、通信装置が通信を行っている場合に、放送受信装置による受信エラー回避のための動作が望まれている。
【０００６】
なお、特許文献１の複合無線端末装置では、一方の無線部の送受信動作が行われた場合に、他方の無線部による受信エラー回避のための動作については記載されていない。
【０００７】
本発明は、上記の問題点を解決するために成されたものであり、通信装置が通信を行っている場合に、放送受信装置による受信エラーを回避することができる通信機器を提供することを目的とする。
【課題を解決するための手段】
【０００８】
上記目的を達成するために、請求項１に係る発明の通信機器は、情報の通信を行う通信手段と、電流が供給されているときに放送波を受信する受信部、及び前記通信手段が通信を行っていない場合には、前記放送波の受信状況に応じて前記電流の供給量を制御すると共に、前記通信手段が通信を行っている場合には、前記制御を中止する電流制御部を備えた放送受信手段とを含んで構成されている。
【０００９】
本発明によれば、通信手段が通信を行っている場合には、放送波の受信状況に応じた電流の供給量の制御を中止するので、通信装置が通信を行っている場合に、放送受信装置による受信エラーを回避することができる。
【００１０】
また、上記目的を達成するために、請求項２に係る発明の通信機器は、電流が供給されているときに情報の通信を行う通信部、及び前記通信の状況に応じて前記電流の供給量を制御する制御部を備えた通信手段と、電流が供給されているときに放送波を受信する受信部、及び前記通信手段が通信を行っていない場合には、前記放送波の受信状況に応じて前記受信部の電流の供給量を制御すると共に、前記通信手段が通信を行っている場合には、前記制御部によって制御された電流の供給量に応じて前記受信部に供給される電流の供給量を制御する電流制御部を備えた放送受信手段とを含んで構成されている。
【００１１】
本発明によれば、通信手段が通信を行っている場合には、制御部によって制御された電流の供給量に応じて受信部に供給される電流の供給量を制御するので、放送受信装置による受信エラーを回避できると共に、省エネを図ることができる。
【発明の効果】
【００１２】
本発明の通信機器によれば、通信装置が通信を行っている場合に、放送受信装置による受信エラーを回避することができる、という効果が得られる。
【発明を実施するための最良の形態】
【００１３】
以下、図面を用いて本発明の実施の形態について説明する。
【００１４】
［第１の実施の形態］
まず、第１の実施の形態について説明する。本実施形態では、本発明を通信機器としての携帯電話に適用した例について説明する。
【００１５】
図１に示すように、本実施の形態の携帯電話１０は、放送受信装置１２、通信装置１４、デコーダ１６、及びＣＰＵ１８を備えている。放送受信装置１２及び通信装置１４にはスイッチ１１が接続されており、このスイッチ１１をオンにすることにより放送受信装置１２及び通信装置１４に電流が供給される。
【００１６】
放送受信装置１２は、受信部２０、及びＯＦＤＭ（Orthogonal Frequency Division Multiplexing：直交周波数分割）復調部２２を備えている。
【００１７】
受信部２０は、放送波（高周波）を受信するアンテナ２０ａ、及びチューナ２１を備えている。チューナ２１は、ＲＦＶＧＡ（Radio Frequency Variable Gain Amplifier：高周波可変利得増幅器）２１ａ、周波数変換器（混合器）２１ｂ、局部発振器２１ｃ、帯域通過フィルタ２１ｄ、及びＩＦＶＧＡ（Intermediate Frequency Variable Gain Amplifier：ＩＦ帯域用可変利得増幅器）２１ｅを備えている。チューナ２１の動作について説明すると、アンテナ２０ａが受信した高周波をＲＦＶＧＡ２１ａで増幅して、次に周波数変換器２１ｂで高周波と局部発振器２１ｃからのローカル信号とを乗算することにより中間周波数の信号を得て、その後帯域通過フィルタ２１ｄで低域中間周波数を取り出し、そしてＩＦＶＧＡ２１ｅで中間周波数の信号を増幅して出力する。
【００１８】
ＯＦＤＭ復調部２２は、ＡＤＣ２２ａ、同期確立部２２ｂ、復調部２２ｃ、誤り訂正部２２ｄ及び適応電流制御部２２ｅにより構成されている。ＡＤＣ２２ａは、チューナ２１より入力されたアナログ信号の中間周波数の信号をデジタル信号に変換する。同期確立部２２ｂは、デジタル信号に変換された中間周波数の信号に同期確立を行って同期再生信号を出力する。復調部２２ｃは、同期確立部２２ｂからの同期再生信号に高速フーリエ変換を行って復調信号を出力すると共に、復調信号のＳ／Ｎ比を出力する。誤り訂正部２２ｄは、復調部２２ｃからの復調信号の誤りを訂正して、デインタリーブ処理を行い、ＴＳ（Transport Stream：トランスポートストリーム）信号を出力する。適応電流制御部２２ｅは、以下で詳細を説明するベースバンド部２８からの送信制御信号が非アクティブの場合には、復調部２２ｃから入力された復調信号のＳ／Ｎ比に基づいて、放送波ＵＨＦの受信レベルを判断する。この受信レベルが高いほど、適応電流制御部２２ｅは、チューナ２１のＲＦＶＧＡ２１ａ、周波数変換器２１ｂ、帯域通過フィルタ２１ｄ、及びＩＦＶＧＡ２１ｅの動作電流の供給量を削減するようにチューナ２１の動作電流を制御する。また、この受信レベルが低いほど、適応電流制御部２２ｅは、チューナ２１のＲＦＶＧＡ２１ａ、周波数変換器２１ｂ、帯域通過フィルタ２１ｄ、及びＩＦＶＧＡ２１ｅの動作電流の供給量を増加するようにチューナ２１の動作電流を制御する。そしてこのような制御と共に、ベースバンド部２８からの送信制御信号がアクティブの場合には、適応電流制御部２２ｅにおける上述の制御は中止される。なお、以下、適応電流制御部２２ｅによる電流の供給量の制御のことを適応電流制御とよぶ。
【００１９】
デコーダ１６は、誤り訂正部２２ｄから入力され各種情報が多重化されたＴＳ信号を各種情報に分離して、図示されていないスピーカ、イヤホン、表示デバイスへ出力する。
【００２０】
通信装置１４は、無線電波を受信するアンテナ２４と、ＲＦ（Radio Frequency）部２６と、ベースバンド部２８とを備えている。
【００２１】
ＲＦ部２６は、所定の周波数帯における音声信号及びデータの送受信を行う送受信回路を有する。ＲＦ部２６は、アンテナ２４を介して受信した無線電波のＲＦ信号を増幅及び周波数変換してベースバンド部２８に出力する処理（いわゆる受信処理）、及びベースバンド部２８から入力される信号の周波数変換及び増幅を行ってアンテナ２４を介して無線電波として出力する処理（いわゆる送信処理）を行うことにより、通信処理を行う。また、ＲＦ部２６は、アンテナ２４を介して受信した無線電波のＲＦ信号のＲＳＳＩ（Receiver Signal Strength Indicator：受信信号強度）を測定し、測定した値をベースバンド部２８に出力する。
【００２２】
ベースバンド部２８は、ＲＦ部２６から入力されたＲＦ信号を復調してＣＰＵ１８に出力する。また、ベースバンド部２８は、ＣＰＵ１８から入力された音声及びデータの信号を変調して、ＲＦ部２６へ出力する。また、ベースバンド部２８は、ＲＦ部２６から入力されたＲＳＳＩの値に応じて、ＲＦ部２６に供給される電流の供給量を多段階に制御する。また、ベースバンド部２８は、ＲＦ部２６によって送信処理が行われている場合には、適応電流制御部２２ｅへの送信制御信号をアクティブにすると共に、ＲＦ部２６によって送信処理が行われていない場合には、適応電流制御部２２ｅへの送信制御信号を非アクティブにする。
【００２３】
ＣＰＵ１８は、放送受信装置１２、通信装置１４、及びデコーダ１６を制御する。
【００２４】
次に、携帯電話１０の動作を説明する。なお、携帯電話１０が電子メール送信を行いつつ、ワンセグ放送を受信する例について説明する。
【００２５】
ＣＰＵ１８は、ＲＯＭ（図示しない）に記憶された電子メール編集プログラムを実行している際に、ユーザの指示を受け付けた操作パネル（図示しない）から、電子メールを送信する指示を受信すると共に、ワンセグ放送を受信する指示を受信した場合には、放送受信装置１２にワンセグ放送を受信する指示を出力すると共に、ベースバンド部２８にＲＡＭ（図示せず）に記憶された電子メールの送信データ、及び電子メールを送信する指示を出力する。
【００２６】
このとき、指示を受けたベースバンド部２８は、電子メールの送信データの信号を変調し、ＲＦ部２６は、ベースバンド部２８により変調された信号の周波数変換及び増幅を行って、アンテナ２４を介して無線電波として出力する。これにより電子メールが送信される。また、ベースバンド部２８は、ＲＦ部２６により電子メールが送信されている間は、適応電流制御部２２ｅへの送信制御信号をアクティブにする。
【００２７】
一方、指示を受けた放送受信装置１２は、ワンセグ放送の受信を開始して、対応するＴＳ信号をデコーダ１６に出力する。デコーダ１６は、ＴＳ信号を各種情報に分離して、スピーカ、イヤホン、表示デバイスへ出力する。これにより、スピーカやイヤホンからは音声が出力され、表示デバイスによって映像が表示される。
【００２８】
また、ベースバンド部２８からの送信制御信号がアクティブであるため、適応電流制御部２２ｅは、チューナ２１の動作電流の供給量の制御を中止する。これにより、チューナ２１の上記のアンプ（ＲＦＶＧＡ２１ａ、及びＩＦＶＧＡ２１ｅ）への電流供給量が削減されることがなくなり、これらのアンプが飽和状態に陥ることによる放送波の受信エラーを回避することができる。すなわち、適応電流制御部２２ｅが適応電流制御を行っていることによる受信エラーを回避することができる。
【００２９】
以上説明したように、本実施の形態によれば、通信装置１４が送信処理を行っている場合には、適応電流制御部２２ｅは、適応電流制御を中止するので、適応電流制御を行っているがための受信エラーを回避することができる。
【００３０】
なお、本実施の形態では、通信装置１４が送信処理を行っている場合に、適応電流制御部２２ｅによる適応電流制御を中止する例について説明したが、通信装置１４が受信処理を行っている場合に、同様に適応電流制御部２２ｅによる適応電流制御を行わないようにしてもよい。これにより、通信装置１４が受信処理を行っている場合には、適応電流制御部２２ｅは、適応電流制御を中止するので、適応電流制御を行っているがための受信エラーを回避することができる。
【００３１】
［第２の実施の形態］
次に第２の実施の形態について説明する。なお、第１の実施の形態と同様の構成及び同様の処理については、同一の符号を付して説明を省略する。本実施の形態では、第１の実施の形態と同様に、ベースバンド部２８は、ＲＦ部２６から入力されたＲＳＳＩの値に応じて、ＲＦ部２６に供給される電流の供給量を多段階に制御する。そのため、ＲＦ部２６から送信処理を行った場合に、送信電力が小さいことが考えられる。このとき、適応電流制御部２２ｅによる適応電流制御で、チューナ２１の上記のアンプなどへの電流の供給量を削減していても、このアンプが飽和するような状態には陥らない場合がある。このとき、放送受信装置１２では受信エラーが発生しない。そこで、本実施の形態では、ベースバンド部２８によってＲＦ部２６に供給される電流の供給量の各段階毎に、放送受信装置１２において受信エラーが発生しない最小の電流の供給量を予め実験的に求めておく。そして、求めた電流の供給量と、対応するＲＦ部２６に供給される電流の供給量とが登録されたテーブルを適応電流制御部２２ｅは記憶しておく。そして、図２に示すように、ベースバンド部２８は、通信を行っている場合に、ＲＦ部２６に供給された電流の供給量を適応電流制御部２２ｅに通知して、適応電流制御部２２ｅは、記憶されたテーブルを読み込んで、通知された電流の供給量に対応する受信エラーが発生しない最小の電流の供給量を取得して、取得した最小の電流の供給量を下回らないようにチューナ２１に対する適応電流制御を行う。これにより、よりきめ細やかな適応電流制御を行うことができ、放送受信装置１２による受信エラーを回避できると共に、省エネを図ることができる。
【図面の簡単な説明】
【００３２】
【図１】本発明の第１の実施の形態に係る携帯電話の構成を示す概略図である。
【図２】本発明の第２の実施の形態に係る携帯電話の構成を示す概略図である。
【符号の説明】
【００３３】
１０      携帯電話
１２      放送受信装置
１４      通信装置
１６      デコーダ
１８      ＣＰＵ
２０      受信部
２１    チューナ
２１ａ    ＲＦＶＧＡ
２１ｅ    ＩＦＶＧＡ
２２ｅ    適応電流制御部
２６      ＲＦ部
２８      ベースバンド部
【図１】
2009094695.tif 000003
【図２】
2009094695.tif 000004